(57)【特許請求の範囲】
【請求項１】
コンクリート部材（Ｃ）に設けられた連結部（Ａ）に取り付ける安全柵土台であって、
基部（１１）と、前記基部（１１）の一端側に設けられ前記連結部（Ａ）の端部と係止する係止部（１２）と、前記基部（１１）の他端側に設けられた螺子部（１３）を有する固定具（１）と、
前記固定具（１）と別体である基礎（２１）と、前記基礎（２１）に穿設され前記基部（１１）と緩嵌する穿孔部（２２）と、前記穿孔部（２２）に隣接し安全柵の支柱を止着する受け部（２３）を有する土台部（２）を備え、
前記基部（１１）において、前記螺子部（１３）の軸方向に垂直な面で切断したときの最も長い差渡しの長さが、前記穿孔部（２２）の最も短い差渡しの長さよりも長いことを特徴とする安全柵土台。
【請求項２】
前記固定具（１）の前記螺子部（１３）側の先端において、側面に少なくとも二つの平行する平面を有する頭部（１４）を備えることを特徴とする請求項１に記載の安全柵土台。
【請求項３】
前記係止部（１２）が前記連結部（Ａ）の端部と嵌合して係止する二本の爪部（１２１）を備えることを特徴とする請求項１又は請求項２に記載の安全柵土台。
【請求項４】
前記螺子部（１３）を構成する雌螺子部（１３１）と前記土台部（２）の一つの面によって挟持される座金板（１５）を備えることを特徴とする請求項１から請求項３のいずれかに記載の安全柵土台。
【請求項５】
前記受け部（２３）が筒状であり、前記受け部（２３）の側面を貫通する固定螺子（２４）を備えることを特徴とする請求項１から請求項４のいずれかに記載の安全柵土台。
【発明の詳細な説明】
【技術分野】
【０００１】
本発明は、建築現場に設置されたコンクリート部材の上に安全柵を固定するために使用される土台に関する。
【背景技術】
【０００２】
プレキャストのコンクリート部材を用いて建築物を造るときに、建築現場に設置されたコンクリート部材の上で作業を行う際に作業者が転落して怪我等を負わないために、コンクリート上に安全柵が仮設される。この場合、コンクリート部材の上に所定の間隔を開けて複数の支柱をコンクリート部材に立設して、それらの隣接する支柱を渡すように手摺等が横架される。
【０００３】
そして、プレキャストのコンクリート部材は、予めコンクリート工場などで製造されてから建築現場に輸送されて、設置される。一般に建築現場で使用されるコンクリート部材の重量が大きいために、クレーンなどの機械により移動させられるところ、クレーンなどにより移動させやすいように、コンクリート部材には表面から連結部の一種であるアンカーが突出して設けられている。
【０００４】
このコンクリート部材の表面から突出したアンカーを利用して、上述した仮設の安全柵を設ける試みが種々行われている。
【０００５】
例えば、特許文献１には、デーハーアンカー２の頭部２ａにその横方向から固定ボルト３底部のＣ型金具３ａを嵌合させる第一工程、取付台４を凹部１を囲んで取り付け、その際固定ボルト３を取付台４より突出させる第二工程、固定ボルト３を安全柵７の柱５をねじ込むとともに締め付ける第三工程、コンクリート製品６上に安全柵７を構築する第四工程からなる安全柵の柱の固定工法が開示されている。なお、当該符号は、特許文献１に記載されている符号である。
【先行技術文献】
【特許文献】
【０００６】
【特許文献１】特開２００２−１４７０２７号公報
【発明の概要】
【発明が解決しようとする課題】
【０００７】
しかしながら、特許文献１に記載の安全柵の柱の固定工法では、コンクリート部材のアンカーに固定ボルトなどを固定するなどしてから、安全柵の柱を固定ボルトに螺設して安全柵を完成させるために、一度構築した安全柵を別のコンクリート部材に移設するときには、安全柵の手摺や柱を分解してから、別のコンクリート部材で改めて安全柵を構築する必要があり手間が掛かり過ぎていた。
【０００８】
また、コンクリート部材のアンカーを利用して安全柵を構築し、その安全柵を分解せずに他のコンクリート部材に移設しようとしても、個々のコンクリート部材によってアンカーの取り付け間隔に多少の差異があるため、安全柵の柱の間隔の寸法調整する必要がありスムーズに構築した安全柵をそのまま移設することが困難であった。
【０００９】
そこで、本発明は、一旦柱に手摺を横架して安全柵を構築してからでも、コンクリート部材の表面に設けられたアンカーなどの連結部材に構築された安全柵を固設することができ、さらに、個々のコンクリート部材における連結部材の間隔に誤差があっても構築された安全柵を任意の連結部材に固設することができる安全柵土台を提供することを課題とする。
【課題を解決するための手段】
【００１０】
〔１〕すなわち、本発明は、コンクリート部材（Ｃ）に設けられた連結部（Ａ）に取り付ける安全柵土台であって、基部（１１）と、前記基部（１１）の一端側に設けられ前記連結部（Ａ）の端部と係止する係止部（１２）と、前記基部（１１）の他端側に設けられた螺子部（１３）を有する固定具（１）と、  前記固定具（１）と別体である基礎（２１）と、前記基礎（２１）に穿設され前記基部（１１）と緩嵌する穿孔部（２２）と、前記穿孔部（２２）に隣接し安全柵の支柱を止着する受け部（２３）を有する土台部（２）を備え、前記基部（１１）において、前記螺子部（１３）の軸方向に垂直な面で切断したときの最も長い差渡しの長さが、前記穿孔部（２２）の最も短い差渡しの長さよりも長いことを特徴とする安全柵土台である。
【００１２】
〔２〕前記固定具（１）の前記螺子部（１３）側の先端において、側面に少なくとも二つの平行する平面を有する頭部（１４）を備えることを特徴とする前記〔１〕に記載の安全柵土台である。
〔３〕そして、前記係止部（１２）が前記連結部（Ａ）の端部と嵌合して係止する二本の爪部（１２１）を備えることを特徴とする前記〔１〕又は前記〔２〕に記載の安全柵土台である。
【００１４】
〔４〕そして、前記螺子部（１３）を構成する雌螺子部（１３１）と前記土台部（２）の一つの面によって挟持される座金板（１５）を備えることを特徴とする前記〔１〕から前記〔３〕のいずれかに記載の安全柵土台である。
【００１５】
〔５〕そして、前記受け部（２３）が筒状であり、前記受け部（２３）の側面を貫通する固定螺子（２４）を備えることを特徴とする前記〔１〕から前記〔４〕のいずれかに記載の安全柵土台である。
【発明の効果】
【００１６】
本発明の安全柵土台によれば、一旦柱に手摺を横架して安全柵を構築してからでも、コンクリート部材の表面に設けられたアンカーなどの連結部に構築された安全柵を固設することができ、さらに、個々のコンクリート部材におけるアンカーの間隔に誤差があっても構築された安全柵を連結部材に固設することができる。
【図面の簡単な説明】
【００１７】
【図１】本発明の第一実施形態を示す安全柵土台の部分破断側面図（Ａ−Ａ線断面図）である。
【図２】本発明の第一実施形態を示す安全柵土台の部分破断正面図（Ｂ−Ｂ線断面図）である。
【図３】本発明の第一実施形態を示す安全柵土台の平面図である。
【図４】本発明の第一実施形態を示す安全柵土台の取り付け手順を示す第一状態図である。
【図５】本発明の第一実施形態を示す安全柵土台の取り付け手順を示す第二状態図である。
【図６】本発明の第一実施形態を示す安全柵土台の取り付け手順を示す第三状態の部分破断正面図である。
【図７】本発明の第一実施形態を示す安全柵土台の取り付け手順を示す第三状態の部分破断側面図である。
【図８】本発明の第一実施形態を示す安全柵土台の取り付け手順を示す第五状態図である。
【図９】本発明の第一実施形態を示す安全柵土台の取り外し途中状態図である。
【図１０】本発明の第一実施形態を示す安全柵土台に安全柵を取り付けた状態の概略図である。
【図１１】本発明の第二実施形態を示す安全柵土台の部分破断側面図である。
【図１２】本発明の第二実施形態を示す安全柵土台の部分破断正面図である。
【図１３】本発明の第三実施形態を示す安全柵土台の部分破断側面図である。
【図１４】本発明の第三実施形態を示す安全柵土台の部分破断正面図である。
【図１５】本発明の第四実施形態を示す安全柵土台の部分破断側面図である。
【図１６】本発明の第四実施形態を示す安全柵土台の部分破断正面図である。
【発明を実施するための形態】
【００１８】
以下、本発明に係る安全柵土台に関する実施形態について詳しく説明する。
【００１９】
〔第一実施形態〕
図１に示すように、安全柵土台は、大きくコンクリートＣの連結部であるアンカーＡ１に固定する部材である固定具１と、安全柵３の支柱３１を止着する土台部２から構成される。そして、固定具１と土台部２は別個独立した部材となっている。
【００２０】
図１などに示すように、コンクリート部材Ｃは、予めコンクリート工場などで製造されてから種々の建築現場に輸送されてその建築現場で使用される固化されたコンクリートからなる部材である。そして、そのコンクリート部材Ｃの上部などの表面には、内側に向かって略半球状に窪んだ凹部を有し、その凹部の略半球状からなる面から、端部に鍔部を有するアンカーＡ１が突設されている。通常重量が大きいコンクリート部材Ｃをクレーンなどの機械で移動させるときに、このアンカーＡ１の鍔部にワイヤーなどを掛けてコンクリート部材Ｃを吊り上げて移動させる。
【００２１】
一般に、所定の建築物を製造するときには、同様の形状を有するコンクリート部材Ｃを複数組み合わせて製造するところ、一のコンクリート部材Ｃには、同一の表面に所定の間隔を開けて二つ以上のアンカーＡ１を有しているが、他のコンクリート部材ＣにおけるアンカーＡ１の間隔とはおおよそ同じであるが、コンクリート部材Ｃごとに多少の差異があり完全に同じでないことが多い。
【００２２】
固定具１は、コンクリート部材ＣのアンカーＡ１に係止して固定される部材である。固定部１は、固定部１の基礎をなす基部１１と、基部１１の一端側に設けられアンカーＡ１の端部である鍔部と係止する係止部１２と、基部１１の他端側に設けられた螺子部１３を備えている。固定具１は土台部２と別体であるために、アンカーＡ１の大きさや形状に応じて、適切に取り付けることができるように種々の形状の係止部１２を有する多品種の固定具１を用意しておくことができる。このため、一の現場においてコンクリート部材ＣのアンカーＡ１の大きさや形状が異なる場合であっても、また、他の現場で使用しようとするきに先の現場とアンカーＡ１の大きさや形状が異なる場合であっても、土台部２の形状や大きさを変える必要がなく、固定具１のみを変更することにより簡便に作業することができる。
【００２３】
本実施形態において、基部１１の外形は矩形状であるが、他の実施形態において、基部１１において、螺子部１３の軸方向に垂直な面で切断したときの最も長い差渡しの長さが、穿孔部２２の最も短い差渡しの長さよりも長い限りにおいて、五角形、六角形などの多角形、楕円形、略楕円形など種々の形状とすることができる。これにより、基部１１が穿孔部２２に緩嵌している状態で螺子部１３を締めたり緩めたりするときに、基部１１が螺子部１３の軸周りに回動したとしても、穿孔部２２の内周面にすぐに当接し、それ以上基部１１が回動することができず、基部１１が穿孔部２２に対して空回りしないため、螺子部１３を締めたり緩めたりする作業を容易に行うことができる。例えば、本実施形態において、矩形状の基部１１における最も長い差渡しの長さである基部１１の対角線の長さが、土台部２に穿設された矩形状の穿孔部２２の最も短い差渡しである穿孔部２２の短手方向の長さよりも長いため、基部１１が穿孔部２２に緩嵌している状態で螺子部１３を締めたり緩めたりするときに、基部１１の外周が穿孔部２２の内周に当接するので、螺子部１３を締めたり緩めたりする作業を容易に行うことができる。
【００２４】
係止部１２は、基部１１の一端側である下方側に設けられており、コンクリート部材ＣのアンカーＡ１の端部と着脱可能に係止する部材である。図１及び図２に示すように、本実施形態において、係止部１２は、アンカーＡ１の端部に位置する鍔部に嵌合して係止する部材であり、アンカーＡ１の鍔部と嵌合して係止し、互いに対向する二本の爪部１２１を有している。これにより、アンカーＡ１に対して固定具１を取り付けて固定することができるとともに、固定具１を水平方向に移動させることにより二本の爪部１２１がアンカーＡ１の鍔部から外れることでアンカーＡ１から取り外すこともできる。なお、本実施形態において、係止部１２は、二本の爪部１２１を有するアンカーＡ１と着脱可能な部材であるが、他の実施例において、螺子を切られたアンカーの端部と螺着可能である螺子を有する部材とすることもできる。
【００２５】
螺子部１３は、基部１１の他端側、すなわち、係止部１２が存在する側とは反対側に位置しており、雌螺子部１３１と雄螺子部１３２から構成される部材である。螺子部１３により、アンカーＡ１に取り付けた固定具１を土台部２に対して動かないようにすることができ、ひいては土台部２の受け部２３に取り付けた安全柵３がコンクリー部材Ｃに固定することができる。
【００２６】
雌螺子部１３１は、内面に螺子が切られている孔を有する角柱形状や円筒形状の部材であり、内面に切られた螺子が雄螺子部１３２の外周に螺設された螺子と螺合する。雌螺子部１３１を雄螺子部１３２に対して締めていくと、雌螺子部１３１の下面が、土台部２の基礎２２の上面を直接的に又は間接的に押圧することにより、固定具１が土台部２に対して動かないように固定することができる。図１から図３に示すように、本実施形態において、雌螺子部１３１は外周が多角形状であるナットである。
【００２７】
雄螺子部１３２は、外周に螺子が切られている棒状の部材であり、外周に切られた螺子が雌螺子部１３１の内面に螺設された螺子と螺合する。図１から図３に示すように、本実施形態において、雄螺子部１３２は、円柱状の軸の外周に螺子が切られているボルト状の部材である。
【００２８】
そして、螺子部１３の先端、より具体的には雄螺子部１３２の先端には、側面に少なくとも二つの平行する平面を有する頭部１４を備えている。図１から図３などに示すように、本実施形態において、頭部１４は、立方体状の部材である。図１から図３などに示すように、頭部１４を備えることによって、雌螺子部１３１を雄螺子部１３２に対して締めたり緩めたりするときに、予めスパナなどの工具を頭部１４にあてがっておくと、作業者が容易に雌螺子部１３１を締めたり緩めたりすることができる。なお、他の実施形態において、頭部１４を、直方体、側面に平行する二つの平面を有する略楕円柱とすることができ、このときも同様に、予めスパナなどの工具を平行する二つの平面にあてがうことによって、作業者が容易に雌螺子部１３１を締めたり緩めたりすることができる。
【００２９】
また、座金板１５は、雌螺子部１３１と土台部２の一の面によって挟持される板状の部材である。雌螺子部１３１を雄螺子部１３２に対して締めていくと、雌螺子部１３１の下面が座金板１５を押圧するとともに座金板１５が土台部２の基礎２２の上面を押圧することにより、固定具１が土台部２に対して動かないように固定することができる。座金部１５により、雌螺子部１３１を雄螺子部１３２に対して締めるときにより安定して固定具１を土台部２に対して固定させることができる。
【００３０】
土台部２は、固定具１と別体である基礎２１と、基礎２１に穿設され基部１１と緩嵌する穿孔部２２と、穿孔部２２に隣接し安全柵の支柱を止着する受け部２３などを備えている。土台部２は、固定具１と別体であるために、一の現場においてコンクリート部材ＣのアンカーＡ１の大きさや形状が異なる場合であっても、また、他の現場で使用しようとするきに先の現場とアンカーＡ１の大きさや形状が異なる場合であっても、アンカーＡ１に取り付ける固定具１のみを変更するだけで土台部２については同じものを使用することができるので、現場によって都度形状を変える必要がなくコストを削減することができる。
【００３１】
基礎２１は、固定具１とは別体であり、土台部２のベースとなる部材である。図１から図３などに示すように、本実施形態において、基礎２１は、矩形状の平板である。他の実施形態において、基礎２１は、多角形状、円形状、楕円形状などの板部材とすることができる。基礎２１は、土台部２の大きさや重量などの点から、板状の部材であることが好ましい。
【００３２】
穿孔部２２は、基礎２１の一部に基礎２１を貫通するように穿設された孔であり、この部分が、固定具１の基部１１との間に遊びがあり緩やかに嵌るよう、内周が基部１１の外周よりも大きく設けられている。穿孔部２２が基部１１と緩嵌することにより、図１０に示すように、固定具１と土台部２を固定したうえで、支柱３１に手摺３２を取り付けた安全柵３を土台部２に設けている状態において、図９に示すように、固定具１の係止部１２をコンクリート部材ＣのアンカーＡ１から取り外して、他のコンクリート部材ＣのアンカーＡ１に取り付けるときに、先の複数のアンカーＡ１の間隔と後の複数のアンカーＡ１の間隔が多少異なったとしても、適宜穿孔部２２における基部１１の位置を調節することにより、安全柵３を移設するたびに分解しなくともよいので速やかに作業を行うことができる。
【００３３】
受け部２３は、基礎２１上に、穿孔部２２とは離れた位置に隣接して設けられ安全柵３の支柱３１を止着する部材である。受け部２３が、穿孔部２２と隣接して設けられていることにより、コンクリート部材ＣのアンカーＡ１上に支柱３１が位置しないように、すなわち、支柱３１の位置をアンカーＡ１の位置とずらすことができ、図１に示すように、よりコンクリート部材Ｃの淵に支柱３１を位置させられるようになるので、作業者がコンクリート部材Ｃ上で作業できるスペースをより広く確保することができる。本実施形態において、受け部２３は、中空の円筒状を有しており、円柱状の支柱３１の外周よりも大きく支柱３１を挿入して固定できる部材である。
【００３４】
本実施形態において、受け部２３に対して支柱３１を挿入して固定するために、受け部２３の側面を貫通する固定螺子２４が設けられている。図１から図３などに示すように、固定螺子２４が受け部２３の側面に設けられた孔と螺合しながら受け部２３内に入り、固定螺子２４の先端が支柱３１に当接することにより、支柱３１を受け部３２に対して固定することができる。
【００３５】
次に、本実施形態の安全柵土台の取り付け手順について説明する。
【００３６】
まず、図４に示すように、コンクリート部材Ｃの一面に設けられたアンカーＡ１に対して、図５に示すように、固定具１の係止部１２を嵌合するように係止する。
【００３７】
次に、図６及び図７に示すように、コンクリート部材Ｃの一の面に土台部２の基礎２１の下面が当接するように、固定具１を穿孔部２２に緩嵌するよう土台部２を設置する。
【００３８】
そして、螺子部１３の雄螺子部１３２に対して座金部１５を挿通し、固定具１が動きにくくなるように頭部１４をスパナなどであてがって雌螺子部１３１をスパナなどで締めてゆく。こうして、図１から図３に示すように、固定具１に対して土台部２を固定することができる。
【００３９】
最後に、図８に示すように、土台部２の受け部２３に支柱３１を固定して、図１０に示すように、支柱３１に手摺３２などを取り付けることにより、本発明の安全柵土台の上に安全柵３を設けることができる。
【００４０】
また、図９に示すように、一旦本発明の安全柵土台の上に安全柵３を組み立てた状態でも、土台部２を移動させることによりコンクリート部材ＣのアンカーＡ１から固定具１の係止部１２を取り外すことができ、固定具１及び土台部２と一体になっている安全柵３を他のコンクリート部材ＣのアンカーＡ１に移設することができる。
【００４１】
〔第二実施形態〕
図１１、図１２に示すように、安全柵土台の第二実施形態は、土台部２を第一実施形態と共通する。第一実施形態との相違は、固定具１における基部１１、係止部１２などの形状である。第二実施形態において、図１１に示すように、基部１１は、固定部１の基礎をなす細長い円柱状の部材であり、係止部１２は、基部１１の少なくとも一端側において外周に螺子が切られた部分である。そして、係止部１２は、コンクリート部材Ｃの連結部であるアンカーＡ２の端部の雌螺子の部分と螺合して着脱可能に係止する。係止部１２がこのような形状を有することにより、アンカーの形状に応じてアンカーに対して係止することができる。そして、係止部１２には、係止部１２の径より大きい円柱状の張出部１２３が設けられており、係止部１２をアンカーＡ２の端部の雌螺子の部分と螺合していくと張出部１２３がアンカーＡ２の鍔部と当接するので、必要以上に係止部１２を螺着させることを防止することができる。また、頭部１４は、直方体形状を有している。
【００４２】
そして、本実施形態の場合、図１０に示すような複数のアンカーに渡るように安全柵３を取り付けた場合、一度組み立てられた安全柵３を分解しなくとも、支柱３１を土台部２の受け部２３に取り付けたまま、固定具１を分解して土台部２から取り外すことにより、対応するアンカーから安全柵３を取り外すことにより移設することが可能となるので、安全柵３を都度分解することに比べれば簡便に他に移設することができる。
【００４３】
〔第三実施形態〕
図１３、図１４に示すように、安全柵土台の第三実施形態は、土台部２を第一実施形態と共通する。第一実施形態との相違は、固定具１における基部１１、係止部１２などの形状である。第三実施形態において、図１３に示すように、基部１１は、固定部１の基礎をなす細長い円柱状の部材であり、係止部１２は、基部１１の一端側に設けられ、内側に螺子が設けられた雌螺子を有する部分である。そして、係止部１２は、コンクリート部材Ｃの連結部であるアンカーＡ３の端部の雄螺子の部分と螺合して着脱可能に係止する。係止部１２がこのような形状を有することにより、アンカーの形状に応じてアンカーに対して係止することができる。また、頭部１４は、直方体形状を有している。
【００４４】
そして、第二実施形態と同様に、本実施形態の場合、図１０に示すような複数のアンカーに渡るように安全柵３を取り付けた場合、一度組み立てられた安全柵３を分解しなくとも、支柱３１を土台部２の受け部２３に取り付けたまま、固定具１を分解して土台部２から取り外すことにより、対応するアンカーから安全柵３を取り外すことにより移設することが可能となるので、安全柵３を都度分解することに比べれば簡便に他に移設することができる。
【００４５】
〔第四実施形態〕
図１５、図１６に示すように、安全柵土台の第四実施形態は、土台部２を第一実施形態と共通する。第一実施形態との相違は、固定具１における係止部１２などの形状である。第四実施形態において、係止部１２は、図１５に示すように、外形が矩形状の基部１１の一端側に設けられ外周に螺子を有する部材である。そして、係止部１２は、コンクリート部材Ｃに埋設され螺子を有する連結部である雌螺子穴Ａ４の端部側の雌螺子の部分と螺合して着脱可能に係止する。係止部１２がこのような形状を有することにより、雌螺子穴の形状に応じて雌螺子穴に対して係止することができる。そして、外形が矩形状の基部１１は、第一実施形態と同様に、基部１１が螺子部１３の軸周りに回動したとしても、穿孔部２２の内周面にすぐに当接し、それ以上基部１１が回動することができず、基部１１が穿孔部２２に対して空回りしないため、螺子部１３を締めたり緩めたりする作業を容易に行うことができるという効果を奏するとともに、第二実施形態の張出部１２３と同様に、形態係止部１２の径よりも大きいために、係止部１２を雌螺子穴Ａ４に螺合していくと基部１１が雌螺子穴Ａ４の端部と当接するので、必要以上に係止部１２を螺着させることを防止することができるという効果も奏する。また、頭部１４は、直方体形状を有している。
【００４６】
そして、第二実施形態及び第三実施形態と同様に、本実施形態の場合、図１０に示すような複数のアンカーに渡るように安全柵３を取り付けた場合、一度組み立てられた安全柵３を分解しなくとも、支柱３１を土台部２の受け部２３に取り付けたまま、固定具１を分解して土台部２から取り外すことにより、対応する雌螺子穴から安全柵３を取り外すことにより移設することが可能となるので、安全柵３を都度分解することに比べれば簡便に他に移設することができる。
【符号の説明】
【００４７】
１・・・固定具
１１・・・基部
１２・・・係止部
１２１・・・爪部
１２２・・・張出部
１３・・・螺子部
１３１・・・雌螺子部
１３２・・・雄螺子部
１４・・・頭部
１５・・・座金板
２・・・土台部
２１・・・基礎
２２・・・穿孔部
２３・・・受け部
２４・・・固定螺子
３・・・安全柵
３１・・・支柱
３２・・・手摺
３３・・・取付金具
Ａ・・・連結部（アンカーなど）
Ｃ・・・コンクリート部材
【図１】
0006764667.tif 000002
【図２】
0006764667.tif 000003
【図３】
0006764667.tif 000004
【図４】
0006764667.tif 000005
【図５】
0006764667.tif 000006
【図６】
0006764667.tif 000007
【図７】
0006764667.tif 000008
【図８】
0006764667.tif 000009
【図９】
0006764667.tif 000010
【図１０】
0006764667.tif 000011
【図１１】
0006764667.tif 000012
【図１２】
0006764667.tif 000013
【図１３】
0006764667.tif 000014
【図１４】
0006764667.tif 000015
【図１５】
0006764667.tif 000016
【図１６】
0006764667.tif 000017